(57)【要約】【課題】複数の発光パネルを組み合わせて容易に発光面積を拡大することが可能な照明器具を提供する。【解決手段】実施形態によれば、第１発光装置と、第２発光装置と、を含む照明器具が提供される。前記第１発光装置は、第１基板と、第１発光パネルと、を含む。前記第１発光パネルは、前記第１基板上に配置される。前記第２発光装置は、第２基板と、第２発光パネルと、を含む。前記第２発光パネルは、前記第２基板上に配置される。前記第１基板は、凸部を含む。前記凸部は、前記第１基板の側面に設けられ、前記第１発光パネルの周辺領域から突出する。前記第２基板は、凹部を含む。前記凹部は、前記第２基板の側面に設けられ、前記第２発光パネルの周辺領域内に凹む。前記凸部は、前記凹部に嵌合する。【選択図】図１
2015156318.tif 000002
【特許請求の範囲】
【請求項１】
第１基板と、前記第１基板上に配置された第１発光パネルと、を含む第１発光装置と、  第２基板と、前記第２基板上に配置された第２発光パネルと、を含む第２発光装置と、
を備え、
前記第１基板は、前記第１基板の側面に設けられ、前記第１発光パネルの周辺領域から突出する凸部を含み、
前記第２基板は、前記第２基板の側面に設けられ、前記第２発光パネルの周辺領域内に凹み前記凸部と嵌合する凹部を含む照明器具。
【請求項２】
前記凸部に第１端子が設けられ、
前記凹部によって露出された前記第２発光パネルの面に第２端子が設けられ、
前記凸部と前記凹部が嵌合することで、前記第１端子と前記第２端子とが電気的に接続される請求項１記載の照明器具。
【発明の詳細な説明】
【技術分野】
【０００１】
本発明の実施形態は、照明器具に関する。
【背景技術】
【０００２】
例えば、ＯＬＥＤ（Organic Light Emitting Diode）を光源として用いた照明器具がある。照明器具において、複数の発光パネルを組み合わせて発光面積を拡大することが求められる。
【先行技術文献】
【特許文献】
【０００３】
【特許文献１】特開２００８−１８６５９９号公報
【発明の概要】
【発明が解決しようとする課題】
【０００４】
本発明の実施形態は、複数の発光パネルを組み合わせて容易に発光面積を拡大することが可能な照明器具を提供する。
【課題を解決するための手段】
【０００５】
本発明の実施形態によれば、第１発光装置と、第２発光装置と、を含む照明器具が提供される。前記第１発光装置は、第１基板と、第１発光パネルと、を含む。前記第１発光パネルは、前記第１基板上に配置される。前記第２発光装置は、第２基板と、第２発光パネルと、を含む。前記第２発光パネルは、前記第２基板上に配置される。前記第１基板は、凸部を含む。前記凸部は、前記第１基板の側面に設けられ、前記第１発光パネルの周辺領域から突出する。前記第２基板は、凹部を含む。前記凹部は、前記第２基板の側面に設けられ、前記第２発光パネルの周辺領域内に凹む。前記凸部は、前記凹部に嵌合する。
【発明の効果】
【０００６】
本発明の実施形態によれば、複数の発光パネルを組み合わせて容易に発光面積を拡大することが可能な照明器具が提供される。
【図面の簡単な説明】
【０００７】
【図１】図１（ａ）及び図１（ｂ）は、第１の実施形態に係る照明器具を示す模式図である。
【図２】第１の実施形態に係る照明器具の一部を示す模式的断面図である。
【図３】図３（ａ）及び図３（ｂ）は、第１の実施形態に係る照明器具の一部を示す図である。
【図４】第１の実施形態に係る照明器具の一部を示す図である。
【図５】第１の実施形態に係る照明器具の一部を示す図である。
【図６】第１の実施形態に係る照明器具の一部を示す図である。
【図７】図７（ａ）及び図７（ｂ）は、第１の実施形態に係る照明器具の一部を示す図である。
【発明を実施するための形態】
【０００８】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００９】
（第１の実施形態）
図１は、第１の実施形態に係る照明器具１１０を例示する模式図である。
図１（ａ）は、照明器具１１０の模式的平面図である。図１（ｂ）は、照明器具１１０の模式的断面図である。
【００１０】
照明器具１１０は、複数の発光装置１０（第１発光装置及び第２発光装置）を含む。照明器具１１０は、複数の発光パネル１１（第１発光パネル及び第２発光パネル）と、複数の基板１２（第１基板及び第２基板）とを含む。複数の発光装置１０の各々は、発光パネル１１と、基板１２とを含む。複数の発光パネル１１の各々は、第１面１１ａ及び第２面１１ｂを有する。複数の基板１２の各々は、第１面１２ａ及び第２面１２ｂを有する。
【００１１】
複数の発光パネル１１は、第１面１１ａ又は第２面１１ｂに平行な面内で並んでいる。本実施形態では、複数の発光パネル１１の側面同士は接触している。複数の発光パネル１１の側面間に間隙を設けても良い。間隙にシリコーン等の弾性体を設けても良く、発光パネル１１に対する衝撃を緩和することができる。
【００１２】
複数の基板１２は、第１面１２ａ又は第２面１２ｂに平行な面内で並んでいる。複数の基板１２の側面同士は接触している。基板１２を設けることで発光パネル１１が保持され、発光パネル１１に対する衝撃が緩和される。基板１２は、周知の材料を用いて形成される。基板１２は、例えば、樹脂を用いて形成される。基板１２は、例えば、金属を用いて形成しても良い。基板１２をアルミニウム又は銅を用いて形成した場合、発光パネル１１の熱が基板１２に伝わり、放熱性及び均熱性を向上させることができる。
【００１３】
複数の発光パネル１１の各々が複数の基板１２の各々に配置されている。複数の発光パネル１１の第１面１１ａは、複数の基板１２の第２面１２ｂに接触する。発光装置１０の基板１２の側面に形成されている突起部１２ｐ（凸部）は、隣接する発光装置１０の基板１２の側面に形成されている開口部１２ｏ（凹部）に嵌合する。突起部１２ｐは、（突起部１２ｐが形成されている）基板１２上に配置された発光パネル１１の周辺領域から突出している。開口部１２ｏは、（開口部１２ｏが形成されている）基板１２上に配置された発光パネル１１の周辺領域内に凹んでいる。
【００１４】
突起部１２ｐと開口部１２ｏとが嵌合するので、隣り合う発光パネル１１が近接する。複数の発光パネル１１を平面的に隣接して配置できるので、発光パネル１１の間で生じる暗部を減らすことができる。突起部１２ｐと開口部１２ｏとが嵌合するので、発光パネル１１の位置合わせが容易になる。
【００１５】
複数の基板１２の第２面１２ｂを複数の発光パネル１１の第１面１１ａに接着させる場合、複数の発光パネル１０を平面的に隣接して接着することができる。カバー又はフレーム等で複数の発光パネル１０を隣接するように固定しなくても良い。
【００１６】
図２は、第１の実施形態に係る照明器具１１０の一部を示す模式的断面図である。
前述したように、発光装置１０は、基板１２と、基板１２上に配置された発光パネル１１と、を含む。発光パネル１１には、パネル基板２０、第１電極２１、第２電極２２、有機層３０、封止部材２４、封止体２５、及び、絶縁膜２６が設けられる。有機層３０は、発光層３２を含む。
【００１７】
パネル基板２０は、第１面２０ａ及び第２面２０ｂを有する。第２面２０ｂは、第１面２０ａとは反対側の面である。封止部材２４は、第１面２４ａ及び第２面２４ｂを有する。第２面２４ｂは、第１面２４ａとは反対側の面である。パネル基板２０の第１面２０ａは、封止部材２４の第１面２４ａと対向している。例えば、第１面２０ａ、２４ａと、第２面２０ｂ及び２４ｂの形状は、四角形である。
【００１８】
例えば、パネル基板２０の上に、第２電極２２が設けられる。第２電極２２とパネル基板２０との間に、第１電極２１が設けられる。有機層３０は、第１電極２１と第２電極２２との間に設けられる。有機層３０の側面と第２電極２２との間、及び、第１電極２１の端部と第２電極２２との間には、絶縁膜２６が設けられる。
【００１９】
パネル基板２０の上に、封止部材２４が設けられている。パネル基板２０と封止部材２４との間に、封止体２５が設けられる。封止体２５は、パネル基板２０と封止部材２４との間の領域の周囲において、連続して設けられる。
【００２０】
パネル基板２０は、例えば、光透過性である。パネル基板２０は、例えば、透明基板である。例えば、パネル基板２０として、ガラス基板が用いられる。パネル基板２０には、例えば、透明樹脂基板（例えば透明プラスチック基板など）が用いられる。
【００２１】
第１電極２１は、光透過性である。第１電極２１は、例えば、透明電極である。例えば、第１電極２１には、ＩＴＯ（Indium Tin Oxide）、ＩＺＯ（Indium Zinc Oxide）または導電性高分子などが用いられる。
【００２２】
第２電極２２の光透過率は、例えば、パネル基板２０の光透過率よりも低い。第２電極２２の光透過率は、例えば、第１電極２１の光透過率よりも低い。第２電極２２は、例えば、光反射性である。例えば、第２電極２２には、銀（Ａｇ）膜またはアルミニウム（Ａｌ）膜などが用いられる。第２電極２２の厚さは、例えば、３０ｎｍ以上である。
【００２３】
有機層３０には、例えば、正孔輸送層３１と、発光層３２と、電子輸送層３３と、が設けられている。例えば、第１電極２１の上に正孔輸送層３１が設けられる。正孔輸送層３１の上に発光層３２が設けられる。発光層３２の上に電子輸送層３３が設けられる。例えば、第２電極２２は、パネル基板２０の表面の一部の上にも設けられる。第２電極２２は、パネル基板２０の表面と有機層３０の上面との間の段差を覆うように連続して設けられる。
【００２４】
発光パネル１１においては、例えば、第２電極２２から、電子輸送層３３を介して、発光層３２へ電子が注入される。例えば、第１電極２１から、正孔輸送層３１を介して、発光層３２へ正孔が注入される。発光層３２において、注入された電子と注入された正孔とが、再結合する。再結合に伴って、発光層３２から光が放出される。
【００２５】
この例では、第２電極２２は、発光層３２から放出された光を実質的に透過させない厚さを有している。例えば、第２電極２２は、光に対して高い反射性を有する。発光層３２から放出され、第２電極２２側に向かう光は、第２電極２２で反射して、光透過性の第１電極２１を通過する。発光パネル１１においては、発光層３２から放出された光は、パネル基板２０側から取り出される。
【００２６】
封止部材２４は、例えば、光透過性である。例えば、封止部材２４は、有機層３０から出射する光を透過させる。封止部材２４として、ガラス基板及び透明樹脂の少なくともいずれかが用いられる。実施形態において、封止部材２４は、非光透過性でも良い。封止体２５には、例えば、樹脂が用いられる。
【００２７】
基板１２の第１面１２ａは、照明器具の筐体の底面等に接触する。基板１２の第２面１２ｂは、封止部材２４の第２面２４ｂに接触する。本実施形態において、封止部材２４の第２面２４ｂは、発光パネル１１の第１面１１ａに対応する。
【００２８】
図３（ａ）及び図３（ｂ）は、第１の実施形態に係る照明器具１１０の一部を例示する模式図である。
図３（ａ）において、２枚の基板１２ａ及び１２ｂが組み合わせられ、（発光装置１０の）基板１２ａの側面に設けられた突起部１２ｐが、（隣接する発光装置１０の）基板１２ｂの側面に設けられた開口部１２ｏに嵌合される。
【００２９】
図３（ａ）において、例えば、基板１２ａの大きさが、基板１２ａの側面に形成された突起部１２ｐ及び開口部１２ｏを除いて、基板１２ａ上に配置された発光パネル１１の大きさと略同じである。例えば、基板１２ｂの大きさが、基板１２ｂの側面に形成された突起部１２ｐ及び開口部１２ｏを除いて、基板１２ｂ上に配置された発光パネル１１の大きさと略同じである。このような場合、基板１２ａの突起部１２ｐが基板１２ｂの開口部１２ｏに嵌合すると、基板１２ａ及び基板１２ｂ上に配置された２枚の発光パネル１１は、平面的に隣接して配置される。２枚の発光パネル１１の間で生じる暗部を減らすことができると共に、発光パネル１１の位置合わせが容易になる。
【００３０】
また、突起部１２ｐには発光パネル１１と電気的に接続された第１端子が形成され、開口部１２ｏによって露出する発光パネル１１には第２端子が形成されている。したがって、発光装置１０の突起部１２ｐが隣接する発光装置１０の開口部１２ｏに嵌合することで、発光パネル１１の位置合わせが行われると共に、図３（ｂ）のように発光装置１０同士を電気的に直列接続でき、点灯回路４０によって発光させることができる。この例では、第１端子１２ｐは＋と−、第２端子は−と＋が順に形成されているので、発光装置１０の数を増やし、互いに突起部１２ｐと開口部１２ｏを嵌合させれば、発光面を容易に拡大できる。なお、基板１２ａ及び基板１２ｂが樹脂等の電気絶縁性材料の場合、その上に第１端子１２ｐが形成されるが、金属等の導電性材料の場合、絶縁層を介して第１端子１２ｐが形成される。
【００３１】
図４は、第１の実施形態に係る照明器具１１０の一部を示す図である。
図４において、組み合わせる複数の基板１２の形状パターンが例示されている。本実施例において、２枚の基板１２ａ及び１２ｂが組み合わせられる。
【００３２】
図４（ａ）において、基板１２ａ及び１２ｂの両側面が加工されている。基板１２ａの一側面１２ｓ１に円状（円形状及び楕円形状を含む）の突起部１２ｐ１（凸部）が設けられている。基板１２ｂの一側面１２ｓ２に円状の開口部１２ｏ１（凹部）が設けられている。基板１２ａの一側面１２ｓ１に設けられた突起部１２ｐ１は、基板１２ｂの一側面１２ｓ２に設けられた開口部１２ｏ１に対応する。突起部１２ｐ１は、開口部１２ｏ１に嵌合しても良い。
【００３３】
図４（ｂ）〜図４（ｄ）において、基板１２ａ及び１２ｂの両側面が加工されている。基板１２ａの一側面１２ｓ１に多角形状の突起部１２ｐ１が設けられている。基板１２ｂの一側面１２ｓ２に多角形状の開口部１２ｏ１が設けられている。基板１２ａの一側面１２ｓ１に設けられた突起部１２ｐ１は、基板１２ｂの一側面１２ｓ２に設けられた開口部１２ｏ１に対応する。突起部１２ｐ１は、開口部１２ｏ１に嵌合しても良い。
【００３４】
図４（ｂ）において、突起部１２ｐ１は、三角形状の突起部である。開口部１２ｏ１は、三角形状の開口部である。図４（ｃ）において、突起部１２ｐ１は、四角形（台形）状の突起部である。開口部１２ｏ１は、四角形（台形）状の開口部である。図４（ｄ）において、突起部１２ｐ１は、五角形状の突起部である。開口部１２ｏ１は、五角形状の開口部である。
【００３５】
例えば、突起部１２ｐ１は、開口部１２ｏ１と嵌合する。基板１２ａと基板１２ｂとが離れ難くなる。
【００３６】
本実施形態では、突起部１２ｐ１及び開口部１２ｏ１は、基板１２ａ及び１２ｂの一側面１２ｓ１及び１２ｓ２の中央付近にそれぞれ設けられている。照明器具１１０の構成要素間の位置、照明器具１１０の構成要素間を接続する配線等を考慮して、突起部１２ｐ１及び開口部１２ｏ１は、基板１２ａ及び１２ｂの一側面１２ｓ１及び１２ｓ２の任意の位置にそれぞれ設けても良い。
【００３７】
図４（ｅ）において、突起部１２ｐ１は、三角形の二辺の各々に三角形状の突起部分１２ｐｓ１が設けられた突起部である。開口部１２ｏ１は、三角形の二辺の各々に三角形状の開口部分１２ｏｓ１が設けられた開口部である。基板１２ａの一側面１２ｓ１に設けられた突起部１２ｐ１は、基板１２ｂの一側面１２ｓ２に設けられた開口部１２ｏ１に対応する。突起部１２ｐ１は、開口部１２ｏ１に嵌合しても良い。突起部分１２ｐｓ１及び開口部分１２ｏｓ１によって突起部１２ｐ１が開口部１２ｏ１に接触する面積が大きくなる。２枚の基板１２ａ及び１２ｂが離れ難くなる。
【００３８】
本実施形態では、突起部１２ｐ１、突起部分１２ｐｓ１、開口部１２ｏ１及び開口部分１２ｏｓ１の形状は、三角形状である。突起部１２ｐ１、突起部分１２ｐｓ１、開口部１２ｏ１及び開口部分１２ｏｓ１の形状は、円状（円形状及び楕円形状を含む）、又は、三角形状以外の多角形状等でも良い。突起部１２ｐ１及び突起部分１２ｐｓ１の形状は異なっても良い。開口部１２ｏ１及び開口部分１２ｏｓ１の形状は異なっても良い。突起部１２ｐ１が開口部１２ｏ１に対応するように、突起部１２ｐ１、突起部分１２ｐｓ１、開口部１２ｏ１及び開口部分１２ｏｓ１の形状を決定することができる。
【００３９】
図４（ｆ）において、突起部１２ｐ１は、３つの四角形状の突起部分１２ｐｓ２を含む突起部である。開口部１２ｏ１は、３つの四角形状の開口部分１２ｏｓ２を含む開口部である。基板１２ａの一側面１２ｓ１に設けられた突起部１２ｐ１は、基板１２ｂの一側面１２ｓ２に設けられた開口部１２ｏ１に対応する。突起部１２ｐ１は、開口部１２ｏ１に嵌合しても良い。３つの突起部分１２ｐｓ２の各々は、３つの開口部分１２ｏｓ２の各々に対応する。突起部分１２ｐｓ２及び開口部分１２ｏｓ２によって突起部１２ｐ１が開口部１２ｏ１に接触する面積が大きくなる。２枚の基板１２ａ及び１２ｂが離れ難くなる。
【００４０】
本実施形態では、３つの四角形状の突起部分１２ｐｓ２を含む。突起部分１２ｐｓ２の形状は、円状（円形状及び楕円形状を含む）、又は、四角形状以外の多角形状等でも良い。本実施形態では、複数個設けられている突起部分１２ｐｓ２の形状は、互いに同一である。複数個設けられている突起部分１２ｐｓ２の形状は、一部又は相互に異なっても良い。
【００４１】
図５は、第１の実施形態に係る照明器具１１０の一部を示す図である。
図５において、組み合わせる複数の基板１２の形状パターンが例示されている。本実施例において、２枚の基板１２ａ及び１２ｂが組み合わせられる。
【００４２】
図５（ａ）において、基板１２ａの一側面１２ｓ１は、基板１２ｂの一側面１２ｓ２に接触する。
【００４３】
図５（ｂ）において、基板１２ａの一側面１２ｓ１は、基板１２ｂの一側面１２ｓ２に接触する。基板１２ａの一側面１２ｓ３は、基板１２ｂの一側面１２ｓ４に接触する。
【００４４】
図５（ｃ）において、基板１２ａの一側面１２ｓ１は、基板１２ｂの一側面１２ｓ２に接触する。基板１２ａの一側面１２ｓ３は、基板１２ｂの一側面１２ｓ４に接触する。
【００４５】
図６は、第１の実施形態に係る照明器具１１０の一部を示す図である。
図７（ａ）及び図７（ｂ）は、第１の実施形態に係る照明器具１１０の一部を示す図である。
【００４６】
図６において、組み合わせる複数の基板１２の形状パターンが例示されている。本実施例において、２枚の基板１２ａ及び１２ｂが組み合わせられる。
【００４７】
基板１２ａの４つの側面１２ｓ１、１２ｓ３、１２ｓ５、１２ｓ７が加工されている。基板１２ａの一側面１２ｓ１及び１２ｓ３に、突起部１２ｐ１及び１２ｐ３がそれぞれ設けられている。基板１２ａの一側面１２ｓ５及び１２ｓ７に、開口部１２ｏ５及び開口部１２ｏ７がそれぞれ設けられている。
【００４８】
基板１２ｂの４つの側面１２ｓ２、１２ｓ４、１２ｓ６、１２ｓ８が加工されている。基板１２ｂの一側面１２ｓ２及び１２ｓ４に、開口部１２ｏ２、１２ｏ４がそれぞれ設けられている。基板１２ｂの一側面１２ｓ６及び１２ｓ８に、突起部１２ｐ６及び１２ｐ８がそれぞれ設けられている。
【００４９】
基板１２ａの一側面１２ｓ１に設けられた突起部１２ｐ１は、基板１２ｂの一側面１２ｓ２に設けられた開口部１２ｏ２に対応する。突起部１２ｐ１は開口部１２ｏ２に嵌合しても良い。
【００５０】
図６のような基板を用いる場合、図７（ａ）及び図７（ｂ）のように、縦横に直列接続する発光装置１０の配置も可能となる。例えば、図７（ａ）のように、突起部１２ｐには発光パネル１１と電気的に接続された端子が形成され、開口部１２ｏによって露出する発光パネル１１には端子が形成されている。したがって、発光装置１０の突起部１２ｐが隣接する発光装置１０の開口部１２ｏに嵌合することで、発光パネル１１の位置合わせが行われると共に、図７（ｂ）のように、複数の発光装置１０を電気的かつ縦横に直列接続でき、点灯回路４０によって発光させることができる。発光装置１０の数を増やし、互いに突起部１２ｐと開口部１２ｏを嵌合させれば、発光面を容易に拡大できる。
【００５１】
本実施形態によれば、複数の発光パネルを組み合わせて容易に発光面積を拡大することが可能な照明器具を提供することができる。  
【００５２】
以上、具体例を参照しつつ、本発明の実施の形態について説明した。しかし、本発明は、これらの具体例に限定されるものではない。例えば、照明器具に含まれる発光装置、発光パネル、基板、発光層、及び有機層などの各要素の具体的な構成に関しては、当業者が公知の範囲から適宜選択することにより本発明を同様に実施し、同様の効果を得ることができる限り、本発明の範囲に包含される。
【００５３】
また、各具体例のいずれか２つ以上の要素を技術的に可能な範囲で組み合わせたものも、本発明の要旨を包含する限り本発明の範囲に含まれる。
【００５４】
その他、本発明の実施の形態として上述した照明器具を基にして、当業者が適宜設計変更して実施し得る全ての照明器具も、本発明の要旨を包含する限り、本発明の範囲に属する。
その他、本発明の思想の範疇において、当業者であれば、各種の変更例及び修正例に想到し得るものであり、それら変更例及び修正例についても本発明の範囲に属するものと了解される。
【００５５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５６】
１０…発光装置、  １１…発光パネル、  １１ａ…第１面、  １１ｂ…第２面、  １２、１２ａ、１２ｂ…基板、  １２ｓ１〜１２ｓ８…側面  １２ｐ、１２ｐ１、１２ｐ３、１２ｐ６、１２ｐ８…突起部  １２ｏ、１２ｏ１、１２ｏ２、１２ｏ４、１２ｏ５、１２ｏ７…開口部  １２ｐｓ１、１２ｐｓ２…突起部分  １２ｏｓ１、１２ｏｓ２…開口部分  ２０…パネル基板、  ２０ａ…第１面、  ２０ｂ…第２面、  ２１…第１電極、  ２２…第２電極、  ２４…封止部材、  ２４ａ…第１面、  ２４ｂ…第２面、  ２５…封止体、  ２６…絶縁膜、  ３０…有機層、  ３１…正孔輸送層、  ３２…発光層、  ３３…電子輸送層、  ４０…点灯回路  １１０…照明器具
【図１】
2015156318.tif 000003
【図２】
2015156318.tif 000004
【図３】
2015156318.tif 000005
【図４】
2015156318.tif 000006
【図５】
2015156318.tif 000007
【図６】
2015156318.tif 000008
【図７】
2015156318.tif 000009